(57)【要約】【課題】広域な敷地における空間線量率をより効率的に測定することができ、ひいてはその敷地における除染状況の調査にかかる時間や労力を大幅に低減することが可能な広域空間線量測定方法を提供することを目的とする。【解決手段】本発明にかかる広域空間線量測定方法の代表的な構成は、広域な敷地における放射線の空間線量率を測定する広域空間線量率測定方法であって、測定対象となる敷地１００を複数のブロック１０２ａ〜１０２ｄに分割し、複数のブロックごとに所定高さでの空間線量率を測定し、複数のブロックのうち、所定高さでの空間線量率が所定の閾値以上であるブロックがあったら、そのブロックを更に複数のブロック１０４ａ〜１０４ｄに分割し、更に分割した複数のブロックごとに前回測定時の高さよりも低い高さで空間線量率を測定することを繰り返すことを特徴とする広域空間線量測定方法。【選択図】図１
2016156686.tif 000002
【特許請求の範囲】
【請求項１】
広域な敷地における放射線の空間線量率を測定する広域空間線量率測定方法であって、  測定対象となる敷地を複数のブロックに分割し、該複数のブロックごとに所定高さでの空間線量率を測定し、
前記複数のブロックのうち、前記所定高さでの空間線量率が所定の閾値以上であるブロックがあったら、そのブロックを更に複数のブロックに分割し、該更に分割した複数のブロックごとに前回測定時の高さよりも低い高さで空間線量率を測定することを繰り返すことを特徴とする広域空間線量測定方法。
【発明の詳細な説明】
【技術分野】
【０００１】
本発明は、広域な敷地における放射線の空間線量率を測定する広域空間線量率測定方法に関する。
【背景技術】
【０００２】
放射性物質による汚染の程度や分布を判断するための指標として、地表面における放射線の線量率（以下、地表面の線量率と称する）がある。地表面の線量率の測定には、コリメータと呼ばれる厚さ１０ｍｍ以上の鉛製のカバーをつけたサーベイメータを使って、求める分布の精度に応じた間隔（例えば１ｍ間隔や５ｍ間隔など）で測定する手法が用いられている。
【０００３】
上記の手法では、サーベイメータがコリメータによって周囲の空間から遮蔽されるため、周囲の空間から届く放射線を遮断することができる。したがって、コリメータで囲われた地表面のみの線量率を正確に測定することが可能である。しかしながら、コリメータは重量が重く、測定間隔ごとに移動と安定設置を繰り返しながら測定しなければならないため、作業効率が低い。故に上記の手法では、放射性物質による汚染の分布の精度を向上させるために測定間隔を短くする（狭くする）と、作業時間が非常に長くなってしまうという問題があった。
【０００４】
また地表面近傍の空間線量率を測定可能な測定器として、非特許文献１に示すような可搬性に優れた放射線測定器が開発されている。非特許文献１の放射線測定器は、高さ方向において任意の間隔（例えば地表５ｃｍおよび１００ｃｍの位置）で２つの放射線検出部（プラスチックシンチレータ器）が配置されたステッキ状の放射線測定器である。２つの放射線検出部の高さは、大人と子供の高さの差を考慮するなどして設定される。これにより、作業員が放射線測定器を持ちながら歩くことで、２つの高さでの放射線量を同時に計測することができ、作業効率の向上ひいては作業時間の大幅な短縮を図ることができる。
【先行技術文献】
【非特許文献】
【０００５】
【非特許文献１】γプロッター（ガンマプロッター）Ｈを使った放射線量測定デモンストレーションを実施、[online]、［平成２４年１０月４日検索］、インターネット＜ＵＲＬ：http://www.jaea.go.jp/fukushima/other/2012-082902.pdf＞
【発明の概要】
【発明が解決しようとする課題】
【０００６】
しかしながら、非特許文献１の放射線測定器によって測定される空間線量率も、やはり従来と同様に測定箇所の局所的な値である。したがって、畑や運動場等の広域な敷地全体の除染状況を調査する場合には、やはり作業員がその敷地全体を歩きながら空間線量率を測定する必要がある。このため、非特許文献１の放射線測定器によれば作業性は改善されるものの、広域な敷地の除染状況の調査にはやはり膨大な時間や労力がかかることには変わりなく、より効率的な測定方法の開発が望まれていた。
【０００７】
本発明は、このような課題に鑑み、広域な敷地における空間線量率をより効率的に測定することができ、ひいてはその敷地における除染状況の調査にかかる時間や労力を大幅に低減することが可能な広域空間線量測定方法を提供することを目的としている。
【課題を解決するための手段】
【０００８】
上記課題を解決するために、本発明にかかる広域空間線量測定方法の代表的な構成は、広域な敷地における放射線の空間線量率を測定する広域空間線量率測定方法であって、測定対象となる敷地を複数のブロックに分割し、複数のブロックごとに所定高さでの空間線量率を測定し、複数のブロックのうち、所定高さでの空間線量率が所定の閾値以上であるブロックがあったら、そのブロックを更に複数のブロックに分割し、更に分割した複数のブロックごとに前回測定時の高さよりも低い高さで空間線量率を測定することを繰り返すことを特徴とする。
【０００９】
上記構成によれば、複数に分割されたブロックごとに空間線量率を測定し、測定された空間線量率が所定の閾値以上であるか否かにより、各ブロック内における汚染スポットの有無を推定することができる。高い位置を大きく分割したブロックにおいて空間線量率が所定の閾値未満であったら、そのブロック内には汚染スポットがない、換言すれば除染が完了していると判断することができる。
【００１０】
一方、空間線量率が所定の閾値以上であったブロックがあったら、そのブロックを更に複数のブロックに分割し、再度空間線量率を測定する。このとき、前回の測定時の高さよりも低い高さで測定を行うことにより、より高い精度で放射線を検知することができる。そして、上述した動作を繰り返し、測定高さを徐々に低くし、ブロックを徐々に細かく分割することにより、汚染スポットが迅速に特定され、除染状況が確認される。このように本発明によれば、従来のように広域な敷地全体を移動しながらの測定を行うことなく、各ブロックの空間線量率を測定することで汚染スポットの有無ひいては除染状況を確認することができる。したがって、広域な敷地における空間線量率をより効率的に測定することができ、ひいてはその敷地における除染状況の調査にかかる時間や労力を大幅に低減することが可能である。
【発明の効果】
【００１１】
本発明によれば、広域な敷地における空間線量率をより効率的に測定することができ、ひいてはその敷地における除染状況の調査にかかる時間や労力を大幅に低減することが可能な広域空間線量測定方法を提供することができる。
【図面の簡単な説明】
【００１２】
【図１】本実施形態の広域空間線量測定方法について説明する図である。
【図２】空間線量率を測定する際の手段を説明する図である。
【図３】本実施形態の広域空間線量測定方法のシミュレーション結果を示す図である。
【図４】本実施形態の広域空間線量測定方法のシミュレーション結果を示す図である。
【図５】本実施形態の広域空間線量測定方法のシミュレーション結果を示す図である。
【図６】本実施形態の広域空間線量測定方法のシミュレーション結果を示す図である。
【図７】本実施形態の広域空間線量測定方法のシミュレーション結果を示す図である。
【図８】本実施形態の広域空間線量測定方法のシミュレーション結果を示す図である。
【発明を実施するための形態】
【００１３】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１４】
図１は、本実施形態の広域空間線量測定方法について説明する図である。本実施形態の広域空間線量測定方法では、図１に示す広域な敷地１００における放射線の空間線量率を測定する。図１の例では、敷地１００内に汚染スポット１０８があるものとする。図１に示すように、本実施形態の広域空間線量測定方法では、まず測定対象となる敷地１００を複数のブロック１０２ａ・１０２ｂ・１０２ｃ・１０２ｄに分割する。そして、作業員１００ａは、複数のブロック１０２ａ〜１０２ｄの各測定点Ｐ１・Ｐ２・Ｐ３・Ｐ４ごとに、所定高さでの空間線量率を測定する。本実施形態では、所定高さとして１０ｍを例示している。
【００１５】
図２は、空間線量率を測定する際の手段を説明する図である。図２（ａ）では、空間線量率を測定する測定器であるセンサ１２０をバルーン１２２の紐状部材１２２ａに取り付けている。これにより、紐状部材１２２ａの長さを調節することによりセンサ１２０を測定位置（所定高さ）に配置することができる。
【００１６】
図２（ｂ）では、棒状部材１２４にセンサ１２０を取り付けている。これにより、棒状部材１２４に対するセンサ１２０の取付位置を変更することにより、センサ１２０を測定位置（所定高さ）に配置することができる。また図２（ｃ）では、ラジコン１２６にセンサ１２０を取り付けている。これにより、コントローラ１２６ａでラジコン１２６を操作することにより、センサ１２０を測定位置（所定高さ）に配置することができる。ただし、図２において説明した手段は例示にすぎず、他の手段を用いることも当然にして可能である。
【００１７】
所定高さ（１０ｍ）での複数のブロック１０２ａ〜１０２ｄの空間線量率が所定の閾値未満であったら、測定したブロック内には汚染スポットがない、すなわちそのブロック内は除染が完了していると判断することができる。一方、複数のブロック１０２ａ〜１０２ｄのうち、所定高さでの空間線量率が所定の閾値以上であるブロックがあったら、そのブロックを更に複数のブロックに分割する。図１では、ブロック１０２ｃの測定点Ｐ３の空間線量率が所定の閾値以上であったと仮定し（図１において測定点Ｐ３を２重丸で示している。）、ブロック１０２ｃを更に複数のブロック１０４ａ・１０４ｂ・１０４ｃ・１０４ｄに分割している。
【００１８】
次に作業員は、更に分割したブロック１０４ａ〜１０４ｄについて、前回測定時の高さよりも低い高さの各測定点Ｐ５・Ｐ６・Ｐ７・Ｐ８ごとに空間線量率を測定する。本実施形態では、測定点Ｐ５〜Ｐ８での測定高さを、測定点Ｐ１〜Ｐ４での測定高さ１０ｍよりも低い５ｍとしている。このように前回の測定高さよりも低い高さで空間線量率を測定することにより、より高い精度で放射線を検知することができる。
【００１９】
そして、更に分割された複数のブロック１０４ａ〜１０４ｄのうち、空間線量率が所定の閾値以上であるブロックがあったら、そのブロックを更に分割する。図１では、ブロック１０４ａの測定点Ｐ５の空間線量率が所定の閾値以上であったと仮定し（図１において測定点Ｐ５を２重丸で示している。）、ブロック１０４ａを更に複数のブロック１０６ａ・１０６ｂ・１０６ｃ・１０６ｄに分割している。
【００２０】
続いて作業員は、更に分割したブロック１０６ａ〜１０６ｄについて、前回の測定時の高さよりも低い高さの各測定点Ｐ９・Ｐ１０・Ｐ１１・Ｐ１２ごとに空間線量率を測定する。本実施形態では、測定点Ｐ９〜１２での測定高さを、測定点Ｐ５〜Ｐ８での測定高さ５ｍよりも低い３ｍとしている。これにより、ブロック１０６ａ〜１０６ｄの下方に汚染スポット１０８があると認識することができる。このようにして、広域な敷地１００の除染の程度をより正確に把握することができ、除染の必要性の有無を判断することができる。
【００２１】
上記説明したように、本実施形態の広域空間線量測定方法によれば、複数に分割されたブロックごとに空間線量率を測定し、測定された空間線量率が所定の閾値以上であるか否かにより、各ブロック内における汚染スポットの有無を推定することができる。特に、高い位置を大きく分割したブロックにおいて空間線量率が所定の閾値未満であったら、そのブロック内には汚染スポットがない、換言すれば除染が完了していると判断する。したがって、汚染スポットがない場合には極めて少ない測定点で測定が完了するため、極めて迅速に除染が十分であることを判断することができる。
【００２２】
一方、空間線量率が所定の閾値以上のブロックがあったら、そのブロックを更に細かく分割し、前回測定時よりも低い測定高さで空間線量率を測定する動作を繰り返す。これにより、汚染スポットが迅速に特定され、除染状況が確認される。したがって、汚染スポットがある場合にも、従来のように広域な敷地全体を移動しながらの測定を行うことなく、広域な敷地における空間線量率をより効率的に測定することができ、除染状況の調査にかかる時間や労力を大幅に低減することが可能である。
【００２３】
図３〜図８は、本実施形態の広域空間線量測定方法のシミュレーション結果を示す図である。本実施形態では、擬似的な汚染スポットを想定し、かかる汚染スポットから所定高さおよび所定距離の位置における空間線量率を例示して説明する。なお、擬似的な汚染スポットの条件は、スポットの大きさが２ｍ×２ｍ、汚染強度はベースとなる平面を１とした場合の１０倍であり、この汚染スポット以外の分布線源は存在しないものとする。またセンサ１２０の測定誤差は５％であると仮定する。
【００２４】
図３は、高さ１０ｍ・５ｍ・３ｍ・１ｍ・０．５ｍにおける汚染スポットからの距離０ｍ〜１０ｍの空間線量率をプロットしたグラフである。図３に示すように、高さ１０ｍでは、汚染スポットからの距離にかかわらず、空間線量率はほぼ同じ値（図３では１．０μＳｖ／ｈ）である。そして、測定高さが低いほど、汚染スポットに近づくにしたがって空間線量率が急激に高くなる。
【００２５】
図４は、高さ１０ｍにおける汚染スポットからの距離０ｍ〜１０ｍの空間線量率をプロットしたグラフであり、空間線量率の範囲（グラフの縦軸）を１．０μＳｖ／ｈ〜１．１μＳｖ／ｈとしている。図４に示すように、高さ１０ｍにおける空間線量率は、汚染スポットからの距離が遠ざかるにしたがって徐々に下がるものの、その値はほぼ１．０μＳｖ／ｈであり、センサの測定誤差以内（５％以内）の値となる。このことから、高さ１０ｍでは空間線量率を参照しても汚染スポットの有無を判断することはできないが、その値（１．０μＳｖ／ｈ）をバックグラウンドの空間線量率として使用することができる。
【００２６】
図５は、高さ５ｍにおける汚染スポットからの距離０ｍ〜１０ｍの空間線量率をプロットしたグラフであり、空間線量率の範囲（グラフの縦軸）を１．０μＳｖ／ｈ〜１．１μＳｖ／ｈとしている。上述したように高さ１０ｍでの空間線量率１．０μＳｖ／ｈをバックグラウンドの空間線量率としたとき、そこにセンサ１２０の測定誤差を乗算すると、汚染スポットの有無の判断の閾値は１．０５μＳｖ／ｈとなる。
【００２７】
そして、図５に示すように、測定高さ５ｍでは、空間線量率が閾値１．０５μＳｖ／ｈを超える距離（汚染スポットからの距離）は４ｍより若干大きい値である。したがって、測定高さ５ｍの場合には、汚染スポットを検出可能な距離（以下、測定半径と称する）は約４ｍであり、８ｍ間隔（４ｍの２倍）でブロックを分割すればよいことが理解できる。
【００２８】
図６は、高さ３ｍにおける汚染スポットからの距離０ｍ〜１０ｍの空間線量率をプロットしたグラフであり、空間線量率の範囲（グラフの縦軸）を１．０μＳｖ／ｈ〜１．３μＳｖ／ｈとしている。図６に示すように、測定高さ３ｍでは、測定高さ５ｍのときの測定半径４ｍの半分の距離２ｍを測定半径としている。したがって、測定高さ１０ｍのときの８ｍ×８ｍのブロックは、４ｍ×４ｍの４つのブロックに分割される。そして、測定高さ３ｍでの測定半径２ｍのときの空間線量率は１．１５μＳｖ／ｈより若干大きい値であることから、１．１５μＳｖ／ｈを、測定高さ３ｍのときの汚染スポットの有無の判断の閾値とすることができる。
【００２９】
図７は、高さ１ｍにおける汚染スポットからの距離０ｍ〜１０ｍの空間線量率をプロットしたグラフであり、空間線量率の範囲（グラフの縦軸）を１．０μＳｖ／ｈ〜２．４μＳｖ／ｈとしている。図７に示すように、測定高さ１ｍでは、測定高さ３ｍのときの測定半径２ｍの半分の距離１ｍを測定半径としている。したがって、測定高さ３ｍのときの４ｍ×４ｍのブロックは、２ｍ×２ｍの４つのブロックに分割される。そして、測定高さ１ｍでの測定半径１ｍのときの空間線量率は２．０μＳｖ／ｈより若干大きい値であることから、２．０μＳｖ／ｈを、測定高さ１ｍのときの汚染スポットの有無の判断の閾値とすることができる。
【００３０】
図８は、高さ０．５ｍにおける汚染スポットからの距離０ｍ〜１０ｍの空間線量率をプロットしたグラフであり、空間線量率の範囲（グラフの縦軸）を１．０μＳｖ／ｈ〜４．０μＳｖ／ｈとしている。図８に示すように、測定高さ０．５ｍでは、測定高さ１ｍのときの測定半径１ｍの半分の距離０．５ｍを測定半径としている。したがって、測定高さ１ｍのときの２ｍ×２ｍのブロックは、１ｍ×１ｍの４つのブロックに分割される。そして、測定高さ０．５ｍでの測定半径０．５、のときの空間線量率は３．５μＳｖ／ｈより若干大きい値であることから、３．５μＳｖ／ｈを、測定高さ０．５ｍのときの汚染スポットの有無の判断の閾値とすることができる。
【００３１】
上記説明したように、本実施形態の広域空間線量率測定方法によれば、汚染スポットからの影響を受けない高さ（上の例では１０ｍ）において空間線量率を測定することより、バックグラウンドの空間線量率ひいては次の高さでの測定における空間線量率の閾値を定められる。そして、その閾値から敷地をブロックに分割する際の距離を求めることができ、測定高さを下げつつブロックを分割して各ブロックごとに空間線量率を測定することにより、汚染スポットの位置が特定される。したがって、広域な敷地全体を移動しながらの測定を行うことなく、汚染スポットの有無ひいては除染状況を確認することができ、除染状況の調査にかかる時間や労力を大幅に低減することが可能である。
【００３２】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３３】
本発明は、広域な敷地における放射線の空間線量率を測定する広域空間線量率測定方法として利用することができる。
【符号の説明】
【００３４】
１００…敷地、１０２ａ…ブロック、１０２ｂ…ブロック、１０２ｃ…ブロック、１０２ｄ…ブロック、１０４ａ…ブロック、１０４ｂ…ブロック、１０４ｃ…ブロック、１０４ｄ…ブロック、１０６ａ…ブロック、１０６ｂ…ブロック、１０６ｃ…ブロック、１０６ｄ…ブロック、１０８…汚染スポット、１２０…センサ、１２２…バルーン、１２２ａ…紐状部材、１２４…棒状部材、１２６…ラジコン、１２６ａ…コントローラ
【図１】
2016156686.tif 000003
【図２】
2016156686.tif 000004
【図３】
2016156686.tif 000005
【図４】
2016156686.tif 000006
【図５】
2016156686.tif 000007
【図６】
2016156686.tif 000008
【図７】
2016156686.tif 000009
【図８】
2016156686.tif 000010